(57)【要約】      （修正有）【課題】ネットに多くの生花を差し込んでも、外観上の体裁を良好に維持する生花支持具を提供する。【解決手段】生花支持具１００はそれぞれネットからなる第一の段部１１１と第二の段部１１２とを有しており、第一の段部１１１及び第二の段部１１２は側壁部１０１Ａ、１０１Ｂよりも前方に突出しており、第二の段部１１２が側壁部１０１Ａ、１０１Ｂよりも外側に突出する長さは第一の段部１１１が側壁部１０１Ａ、１０１Ｂよりも外側に突出する長さよりも大きい。第二の段部に差し込まれた生花は第一の段部の先端により前方に向かって押される形になる。このため、第一の段部に差し込まれた生花と第二の段部に差し込まれた生花は相互に干渉し合うことなく、第二の段部に差し込まれた生花は真っ直ぐに立った状態を維持することが可能である。【選択図】図１
0003147860.tif 000002
【実用新案登録請求の範囲】
【請求項１】
剛性を有する線材で形成された生花支持具であって、
相互に対向する一対の側壁部と、
前記一対の側壁部の間に掛け渡された少なくとも２つの段部と、
からなり、
前記段部は上下方向に配列されており、
前記段部の各々は、前記一対の側壁部が相互に対向する方向において、複数の開口領域に分割されており、
前記段部のうち第一の段部は前記側壁部よりも一方向において外側に突出しており、
前記第一の段部の直下に位置する第二の段部は前記一方向において外側に突出しており、前記第二の段部が前記側壁部よりも外側に突出する長さは前記第一の段部が前記側壁部よりも外側に突出する長さよりも大きい生花支持具。
【請求項２】
前記第一の段部は最上位置にある段部であり、
前記第二の段部は前記一方向における前記側壁部の端部を始点として前記側壁部よりも外側に突出して形成されていることを特徴とする請求項１に記載の生花支持具。
【請求項３】
前記側壁部の各々は底部に連結されており、
前記底部は、前記一方向において、複数の開口領域に分割されており、
前記複数の開口領域のうち、前記第一の段部に対応する開口領域は、前記第一の段部及び当該領域に挿入された花が傾斜するような位置にあり、
前記複数の開口領域のうち、前記第二の段部に対応する開口領域は、前記第二の段部及び当該領域に挿入された花が傾斜するような位置にあることを特徴とする請求項２に記載の生花支持具。
【請求項４】
前記段部の各々は前記一方向において斜め下方に傾斜していることを特徴とする請求項１乃至３の何れか一項に記載の生花支持具。
【請求項５】
前記段部の各々は前記一方向において外側に凸または凹となる円弧形状をなしていることを特徴とする請求項１乃至４の何れか一項に記載の生花支持具。
【考案の詳細な説明】
【技術分野】
【０００１】
本考案は、生花を立てた状態に支持する生花支持具に関する。
【背景技術】
【０００２】
生花を立てた状態に維持する生花支持具としては、実開平５−５１１６２号公報及び特開２００１−２３８７７６号公報に記載されたものがある。
【０００３】
これら何れも、複数の開口領域を画定しているネットと、このネットに取り付けられた脚部とからなり、ネットの各開口領域に生花を差し込むことにより、生花を立てた状態に維持するものである。
【考案の開示】
【考案が解決しようとする課題】
【０００４】
ネットにより画定された各開口領域に生花を順に差し込むと、ネットの端部に近い開口領域に差し込まれた生花はネットの中央近辺の開口領域に差し込まれた生花に押された形になり、真っ直ぐに立たずに、両側に傾斜してしまっていた。
【０００５】
すなわち、ネットの開口領域のほぼ全てに生花を差し込むと、全ての生花を真っ直ぐに立たせることは不可能となり、外観上の体裁がよくないという問題点があった。
【０００６】
本考案は以上のような従来の生花支持具における問題点に鑑みてなされたものであり、生花支持具のネットに多くの生花を差し込んでも、外観上の体裁を良好に維持することを可能にする生花支持具を提供することを目的とする。
【課題を解決するための手段】
【０００７】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００８】
上記の目的を達成するため、本考案は、剛性を有する線材で形成された生花支持具（１００）であって、相互に対向する一対の側壁部（１０１Ａ、１０１Ｂ）と、前記一対の側壁部（１０１Ａ、１０１Ｂ）の間に掛け渡された少なくとも２つの段部（１１１、１１２）と、からなり、前記段部（１１１、１１２）は上下方向に配列されており、前記段部（１１１、１１２）の各々は、前記一対の側壁部（１０１Ａ、１０１Ｂ）が相互に対向する方向において、複数の開口領域に分割されており、前記段部のうち第一の段部（１１１）は前記側壁部（１０１Ａ、１０１Ｂ）よりも一方向において外側に突出しており、前記第一の段部（１１１）の直下に位置する第二の段部（１１２）は前記一方向において外側に突出しており、前記第二の段部（１１２）が前記側壁部（１０１Ａ、１０１Ｂ）よりも外側に突出する長さ（Ｌ２）は前記第一の段部（１１１）が前記側壁部（１０１Ａ、１０１Ｂ）よりも外側に突出する長さ（Ｌ１）よりも大きい生花支持具（１００）を提供する。
【０００９】
例えば、前記第一の段部（１１１）は最上位置にある段部であり、前記第二の段部（１１２）は前記一方向における前記側壁部（１０１Ａ、１０１Ｂ）の端部を始点として前記側壁部（１０１Ａ、１０１Ｂ）よりも外側に突出して形成されていることが好ましい。
【００１０】
前記側壁部（１０１Ａ、１０１Ｂ）の各々は底部に連結されており、前記底部は、前記一方向において、複数の開口領域に分割されており、前記複数の開口領域のうち、前記第一の段部（１１１）に対応する開口領域（２２２）は、前記第一の段部（１１１）及び当該開口領域（２２２）に挿入された花が傾斜するような位置にあり、前記複数の開口領域のうち、前記第二の段部（１１２）に対応する開口領域（２２１）は、前記第二の段部（１１２）及び当該開口領域（２２１）に挿入された花が傾斜するような位置にあることが好ましい。
【００１１】
前記段部（１１１、１１２）の各々は前記一方向において斜め下方に傾斜していることが好ましい。
【００１２】
前記段部（３１１、３１２）の各々は前記一方向において外側に凸または凹となる円弧形状をなしていることが好ましい。
【考案の効果】
【００１３】
複数の段部のうちの第一の段部及び第二の段部の各々には生花が差し込まれる。この場合、第二の段部においては、第一の段部の先端と第二の段部の先端との間にある開口領域においてのみ、生花が差し込まれる。このため、第二の段部に差し込まれた生花は第一の段部の先端により前方に向かって押される形になる。このため、第一の段部に差し込まれた生花と第二の段部に差し込まれた生花は相互に干渉し合うことなく、第二の段部に差し込まれた生花は真っ直ぐに立った状態を維持することが可能である。
【考案を実施するための最良の形態】
【００１４】
（第一の実施形態）
図１（Ａ）は本考案の第一の実施形態に係る生花支持具１００の部分的な斜視図、図１（Ｂ）は本考案の第一の実施形態に係る生花支持具１００の側面図である。
【００１５】
本実施形態に係る生花支持具１００は剛性を有する線材（例えば、針金または金属棒）で形成されている。
【００１６】
図１（Ａ）及び図１（Ｂ）に示すように、本実施形態に係る生花支持具１００は、相互に対向する一対の側壁部１０１Ａ、１０１Ｂと、一対の側壁部１０１Ａ、１０１Ｂの間に掛け渡された第一の段部１１１及び第二の段部１１２とを備えている。
【００１７】
上述のように、一対の側壁部１０１Ａ、１０１Ｂ、第一の段部１１１及び第二の段部１１２は線材でつくられており、図１（Ａ）及び図１（Ｂ）において、一対の側壁部１０１Ａ、１０１Ｂの外形線、第一の段部１１１及び第二の段部１１２の外形線及び内部の線が線材を示している。
【００１８】
第一の段部１１１及び第二の段部１１２は上下方向に配列されている。すなわち、第一の段部１１１は一対の側壁部１０１Ａ、１０１Ｂの上端上に掛け渡され、第二の段部１１２は第一の段部１１１の下方に位置している。
【００１９】
図１（Ａ）に示すように、第一の段部１１１は、一対の側壁部１０１Ａ、１０１Ｂが相互に対向する方向Ａにおいて、５列の開口領域に分割されており、さらに、方向Ａと直交する方向Ｂにおいて、２列の開口領域に分割されている。このため、第一の段部１１１においては、１０個の開口領域が碁盤の目のようなグリッド状に配列されている。
【００２０】
第二の段部１１２も、第一の段部１１１と同様に、一対の側壁部１０１Ａ、１０１Ｂが相互に対向する方向Ａにおいて、５列の開口領域に分割されており、さらに、方向Ａと直交する方向Ｂにおいて、２列の開口領域に分割されている。このため、第二の段部１１２においては、１０個の開口領域が碁盤の目のようなグリッド状に配列されている。
【００２１】
図１（Ｂ）に示すように、第一の段部１１１は、方向Ｂにおいて、一対の側壁部１０１Ａ、１０１Ｂよりも外側に突出するように形成されている。すなわち、図１（Ｂ）に示すように、第一の段部１１１は一対の側壁部１０１Ａ、１０１Ｂよりも前方（説明の都合上、図１（Ｂ）の左側を前方とする）に突出して形成されている。
【００２２】
図１（Ａ）に示すように、第二の段部１１２は方向Ｂにおける側壁部１０１Ａ、１０１Ｂの端部（前方側端部）を始点として側壁部１０１Ａ、１０１Ｂから外側に（すなわち、前方に）突出して形成されている。
【００２３】
図１（Ｂ）に示すように、第一の段部１１１が一対の側壁部１０１Ａ、１０１Ｂから前方に突出する長さをＬ１、第二の段部１１２が一対の側壁部１０１Ａ、１０１Ｂから前方に突出する長さをＬ２とすると、長さＬ２は長さＬ１よりも大きく設定されている（Ｌ２＞Ｌ１）。
【００２４】
上記のような構造を有する本実施形態に係る生花支持具１００は次のようにして用いられる。
【００２５】
第一の段部１１１の各開口領域には生花が差し込まれる。
【００２６】
さらに、第二の段部１１２の各開口領域にも生花が差し込まれるが、第二の段部１１２においては、第一の段部１１１と重なり合っていない領域に存在する開口領域にのみ生花が差し込まれる。すなわち、第二の段部１１２においては、第一の段部１１１の先端１１１Ａと第二の段部１１２の先端１１２Ａとの間にある各開口領域においてのみ、生花が差し込まれる。
【００２７】
このため、第二の段部１１２に差し込まれた生花は第一の段部１１１の先端１１１Ａにより前方に向かって押される形になる。このため、第一の段部１１１に差し込まれた生花と第二の段部１１２に差し込まれた生花は相互に干渉し合うことなく、第二の段部１１２に差し込まれた生花は真っ直ぐに立った状態を維持することが可能である。
【００２８】
なお、本実施形態に係る生花支持具１００は上記のような構造に限定されるものではなく、種々の改変が可能である。
【００２９】
例えば、第一の段部１１１及び第二の段部１１２の各々は１０個の開口領域に分割されているが、開口領域の数は１０には限定されない。任意の個数の開口領域に分割することが可能である。
【００３０】
また、第一の段部１１１及び第二の段部１１２の各々は方向Ｂにおいて分割することは必ずしも必要ではなく、方向Ａにおいてのみ分割することも可能である。
【００３１】
さらに、本実施形態に係る生花支持具１００は２個の段部１１１、１１２を有するものとして形成されているが、段部の数は２には限定されない。３以上の任意の数の段部を上下方向に配列することが可能である。この場合、第一の段部１１１と第二の段部１１２との間の関係と同様に、一の段部が一対の側壁部１０１Ａ、１０１Ｂから前方に突出する長さは当該一の段部の直下に位置する段部が一対の側壁部１０１Ａ、１０１Ｂから前方に突出する長さよりも短く設定される。
【００３２】
また、本実施形態に係る生花支持具１００における第一の段部１１１及び第二の段部１１２は水平方向に形成されているが、第一の段部１１１及び第二の段部１１２を傾斜させて配置することも可能である。
【００３３】
図１（Ｃ）は本実施形態に係る生花支持具１００の一変形例を示す側面図である。
【００３４】
図１（Ｃ）に示すように、本変形例においては、第一の段部１１１及び第二の段部１１２は、方向Ｂにおいて、前方（図１（Ｃ）の左側）が低くなるように、傾斜して配置されている。このように各段部１１１、１１２を傾斜して配置することにより、各段部１１１、１１２に生花を差し込んだときに、生花支持具１００の前方にいる看者にとって生花が見やすい角度になる。
【００３５】
第一の段部１１１及び第二の段部１１２の傾斜角度αは、例えば、５度乃至２５度の範囲内に設定される。
【００３６】
（第二の実施形態）
図２は本考案の第二の実施形態に係る生花支持具の底部のみを示す斜視図である。
【００３７】
本実施形態に係る生花支持具の底部は、円形の外郭２１０と、外郭２１０の中心を通る直径に沿って形成された第一線材２１１と、第一線材２１１に平行に形成された第二線材２１２と、から構成されている。
【００３８】
一対の側壁部１０１Ａ、１０１Ｂの各々が後方側に位置する線材１０２Ａと前方側に位置する線材１０２Ｂ（図１（Ｂ）参照）とを含むものとすると、図２に示すように、一対の側壁部１０１Ａ、１０１Ｂの各々の線材１０２Ａの下端は外郭２１０の一点２１３に対して溶接その他の手段により接合されている。一点２１３は、第一線材２１１と直交する直径と外郭２１０との交点であり、かつ、第一線材２１１よりも第二線材２１２に近い位置にある点である。
【００３９】
また、一対の側壁部１０１Ａ、１０１Ｂの各々の線材１０２Ｂの下端は第一線材２１１の両端において外郭２１０に対して溶接その他の手段により接合されている。
【００４０】
本実施形態に係る生花支持具の底部は方向Ｂにおいて複数の開口領域に分割されている。すなわち、本実施形態に係る生花支持具の底部は、第一線材２１１と第二線材２１２と外郭２１０とに囲まれる第一開口領域２２１と、第二線材２１２と外郭２１０とに囲まれる第二開口領域２２２とを有している。
【００４１】
全体的に、第一の段部１１１及び第二の段部１１２と本実施形態に係る生花支持具の底部とは鉛直方向に対して傾斜した位置関係にある。
【００４２】
具体的には、第二開口領域２２２は、第一の段部１１１及び当該第二開口領域２２２に挿入された花が傾斜するような位置にある。すなわち、第一の段部１１１に生花を差し込み、その生花の茎部分を第二開口領域２２２に差し込むと、その生花が前方に傾斜し、その生花の花の部分が前方にいる看者に向かうようになっている。
【００４３】
同様に、第一開口領域２２１は、第二の段部１１２及び当該第一開口領域２２１に挿入された花が傾斜するような位置にある。すなわち、第二の段部１１２に生花を差し込み、その生花の茎部分を第一開口領域２２１に差し込むと、その生花が前方に傾斜し、その生花の花の部分が前方にいる看者に向かうようになっている。
【００４４】
以上のように、本実施形態に係る生花支持具によれば、生花支持具の底部には第一の段部１１１及び第二の段部１１２にそれぞれ対応する第二開口領域２２２及び第一開口領域２２１が形成されており、生花を第一の段部１１１及び第二の段部１１２に差し込み、その生花の茎部分をそれぞれ第二開口領域２２２及び第一開口領域２２１に差し込むと、生花が前方に傾斜する。このため、生花支持具の前方にいる看者は生花の花の部分を集中的に見ることが可能になる。
【００４５】
なお、本実施形態に係る生花支持具は、例えば、台の上に置くことにより、生花支持具の底部と地上との間に隙間をつくることが好ましい。このような隙間をつくることにより、生花の茎部分を確実に第一開口領域２２１及び第二開口領域２２２に差し込むことができる。
【００４６】
本実施形態に係る生花支持具の底部は上記のような構造に限定されるものではなく、種々の改変が可能である。
【００４７】
底部の外形形状は円形には限定されない。底部の外形形状としては、他の形状、例えば、矩形、楕円などの任意の形状を選択することが可能である。ただし、本実施形態に係る生花支持具のように、底部を円形にすることにより、生花支持具をバケツなどの容器に入れることが可能である。
【００４８】
また、底部に形成される開口領域の数は段部の数に対応して決定される。具体的には、開口領域の数は段部の数に等しいか、または、段部の数よりも大きい数に設定される。
【００４９】
（第三の実施形態）
図３は本考案の第三の実施形態に係る生花支持具３００を上方から見た平面図である。
【００５０】
本実施形態に係る生花支持具３００においては、第一の段部３１１及び第二の段部３１２はともに前方に向かって凹となる円弧形状をなしている。
【００５１】
このため、第一の段部３１１及び第二の段部３１２の各々の両端付近に差し込まれた生花も生花支持具３００の前方にいる看者に対して近い位置にあることになるため、看者は第一の段部３１１及び第二の段部３１２の各々に差し込まれた全ての生花をほぼ均等に見ることが可能になる。
【００５２】
あるいは、第一の段部３１１及び第二の段部３１２をともに前方に向かって凸となる円弧形状に形成することも可能である。この場合には、第一の段部３１１及び第二の段部３１２の各々の中央付近に差し込まれた生花が生花支持具３００の前方にいる看者に最も近くなるため、中央付近に差し込まれた生花を看者に対して強調することが可能である。
【図面の簡単な説明】
【００５３】
【図１】図１（Ａ）は本考案の第一の実施形態に係る生花支持具の部分的な斜視図、図１（Ｂ）は本考案の第一の実施形態に係る生花支持具の側面図、図１（Ｃ）は本考案の第一の実施形態に係る生花支持具の一変形例を示す側面図である。
【図２】図２は本考案の第二の実施形態に係る生花支持具の底部のみを示す斜視図である。
【図３】図３は本考案の第三の実施形態に係る生花支持具を上方から見た平面図である。
【符号の説明】
【００５４】
１００  本考案の第一の実施形態に係る生花支持具
１０１Ａ、１０１Ｂ  側壁部
１１１  第一の段部
１１２  第二の段部
２１０  考案の第二の実施形態に係る生花支持具の底部の外郭
２１１  第一線材
２１２  第二線材
１０２Ａ、１０２Ｂ  線材
２２１  第一開口領域
２２２  第二開口領域
３００  本考案の第三の実施形態に係る生花支持具
３１１  第一の段部
３１２  第二の段部
【図１】
0003147860.tif 000003
【図２】
0003147860.tif 000004
【図３】
0003147860.tif 000005